(57)【要約】【課題】複数敷設して建物の床面を構成する成形板に面内せん断力を負担させることが可能な床構造を提供する。【解決手段】成形板１６の端面に生じた圧縮力は主に板部１８によって負担され、引張力は主に下板２２によって負担される。これにより、これらの圧縮力及び引張力は、成形板１６の一方端面から他方端面に伝達され、下板２２が接合された梁１４へせん断力となって伝達される。よって、複数敷設して建物の床面を構成する成形板１６に面内せん断力を負担させることができる。【選択図】図３
2012122282.tif 000002
【特許請求の範囲】
【請求項１】
板部と該板部の下面に一体化された下板とを備え、梁に複数架設された成形板と、
前記下板を前記梁に接合する接合部と、
を有する床構造。
【請求項２】
前記成形板は、端部同士が充填材により繋げられている請求項１に記載の床構造。
【請求項３】
前記充填材は、前記成形板の端部上面に形成された段部に充填されている請求項２に記載の床構造。
【発明の詳細な説明】
【技術分野】
【０００１】
本発明は、成形板を複数敷設して建物の床面を構成する床構造に関する。
【背景技術】
【０００２】
一般に、建物は、「床に面内変形は生じない」とする剛床仮定を前提にして構造設計がなされている。すなわち、建物の床は、建物が地震力をうけたときに面内変形を生じないように、地震により生じる面内せん断力を容易に伝達できる面内剛性を有していなければならない。
【０００３】
通常の鉄筋コンクリートスラブや合成デッキスラブの床は、コンクリートを床全体に対して一体的に打設することにより形成されるので、十分な面内剛性が確保されている。しかし、軽量気泡コンクリート板等の成形板を複数敷設して床面を構成する場合には、成形板同士の一体化が難しく、さらに、柔らかい成形板を用いた場合においては、端部に生じる圧縮力によって破壊することが考えられるので、面内せん断力の十分な伝達が期待できない。
【０００４】
また、成形板が架設される梁によって構成される梁架構を水平ブレース等の補強部材により補強して、梁架構に面内せん断力を負担させようとする場合、補強部材を梁架構に設置する煩雑な作業を必要とし、また、補強部材が、床下空間に配置する設備機器や配管等の邪魔になってしまう。
【０００５】
特許文献１には、複数配列した床パネルの周囲に形成された目地にセルフレベリング材が充填されている床構造が開示されている。
【先行技術文献】
【特許文献】
【０００６】
【特許文献１】特開平７−２３３６２０号公報
【発明の概要】
【発明が解決しようとする課題】
【０００７】
本発明は係る事実を考慮し、複数敷設して建物の床面を構成する成形板に面内せん断力を負担させることが可能な床構造を提供することを課題とする。
【課題を解決するための手段】
【０００８】
請求項１に記載の発明は、板部と該板部の下面に一体化された下板とを備え、梁に複数架設された成形板と、前記下板を前記梁に接合する接合部と、を有する床構造である。
【０００９】
請求項１に記載の発明では、地震によりせん断力が発生した成形板の端面には、圧縮力と引張力とが生じる。成形板の端面に生じた圧縮力は主に板部によって負担され、引張力は主に下板によって負担される。これにより、これらの圧縮力及び引張力は、成形板の一方端面から他方端面に伝達され、下板が接合された梁へせん断力となって伝達される。よって、複数敷設して建物の床面を構成する成形板に面内せん断力を負担させることができる。
【００１０】
請求項２に記載の発明は、前記成形板は、端部同士が充填材により繋げられている。
【００１１】
請求項２に記載の発明では、成形板の端面に生じた圧縮力及び引張力は、隣りに配置された成形板へ充填材を介して伝達される。よって、複数敷設して建物の床面を構成する成形板に、効果的に面内せん断力を負担させることができる。
【００１２】
請求項３に記載の発明は、前記充填材は、前記成形板の端部上面に形成された段部に充填されている。
【００１３】
請求項３に記載の発明では、成形板の端部上面に形成された段部に充填された充填材により、梁に対する成形板の端部の固定度が高められることによって、成形板全体の曲げ剛性を大きくすることができる。
【発明の効果】
【００１４】
本発明は上記構成としたので、複数敷設して建物の床面を構成する成形板に面内せん断力を負担させることができる。
【図面の簡単な説明】
【００１５】
【図１】本発明の第１の実施形態に係る床構造を示す斜視図である。
【図２】本発明の第１の実施形態に係る成形板を示す斜視図である。
【図３】本発明の第１の実施形態に係る床構造を示す断面図である。
【図４】本発明の実施形態に係る成形板に作用する力を示す説明図である。
【図５】本発明の第２の実施形態に係る床構造を示す断面図である。
【図６】本発明の第２の実施形態に係る床構造の変形例を示す断面図である。
【図７】本発明の実施形態に係る床構造の変形例を示す斜視図である。
【図８】図７のＡ−Ａ矢視図である。
【図９】本発明の実施形態に係る床構造の変形例を示す断面図である。
【図１０】本発明の実施形態に係る床構造の変形例を示す平面図である。
【図１１】本発明の実施形態に係る床構造の変形例を示す断面図である。
【図１２】本発明の実施形態に係る床構造の変形例を示す断面図である。
【図１３】本発明の実施形態に係る床構造の変形例を示す断面図である。
【発明を実施するための形態】
【００１６】
図面を参照しながら、本発明の床構造を説明する。まず、本発明の第１の実施形態について説明する。
【００１７】
図１の斜視図に示すように、第１の実施形態の床構造１０では、建物１２の躯体を構成するＨ形鋼からなる梁１４の上に、成形板１６が複数敷き並べられて架設されている。
【００１８】
図２の斜視図に示すように、成形板１６は、軽量気泡コンクリートによって板状に形成された板部１８と、板部１８の上面全面に板部１８と一体に設けられた平板状の鋼板（例えば、１．２ｍｍ程度の薄鋼板）からなる上板２０と、板部１８の下面全面に板部１８と一体に設けられた平板状の鋼板（例えば、１．２ｍｍ程度の薄鋼板）からなる下板２２とを備えたプレキャスト製の一方向スラブであり、短冊状の平面形状を有する板状（例えば、長さ３０００ｍｍ×幅６００ｍｍ×厚さ１５０ｍｍ）の部材である。ここでは、上板２０及び下板２２を鋼板とした例を示しているが、上板２０及び下板２２は、金属製の板であればよい。
【００１９】
図３の側断面図に示すように、成形板１６の下板２２は、板部１８の端面２４から食み出ており（例えば、５０〜１００ｍｍ程度）、接合部２６では、この食み出た部分の下板２２（以下、「突出板部２８」とする）が、焼抜栓溶接によって梁１４の上部フランジ上面に接合されている。なお、突出板部２８は、焼抜栓溶接を行うために設けられているものであるが、焼抜栓溶接以外の方法により梁１４の上部フランジ上面に下板２２を接合する場合において、突出板部２８を設けなくても梁１４の上部フランジ上面に下板２２を接合可能であれば、下板２２を板部１８の端面２４から食み出させなくてもよい。
【００２０】
図３に示すように、隣り合って配置された成形板１６（以下、左側に配置された成形板１６を「成形板１６Ａ」とし、右側に配置された成形板１６を「成形板１６Ｂ」とする。）の端面２４間には、充填材としてのグラウト材Ｇが、硬化した後に突出板部２８の上面、及び梁１４の上部フランジ上面と一体になるように充填されている。ずなわち、成形板１６Ａ、１６Ｂは、硬化したグラウト材Ｇにより端部同士が繋げられている。
【００２１】
また、梁１４の上部フランジ上面には、頭付きスタッド３０が立設されている。頭付きスタッド３０は、溶接によって下端部が梁１４の上部フランジ上面に固定され、グラウト材Ｇ内に埋設された状態で硬化したグラウト材Ｇと一体となるように設けられている。なお、頭付きスタッド３０は、梁１４の上部フランジ上面から突出させることにより、梁１４の上部フランジ上面と硬化したグラウト材Ｇとを一体化できる部材であればよく、例えば、アンカー筋としてもよい。
【００２２】
床構造１０を構築する施工手順は、まず、所定の間隔をおいて、梁１４の上に複数の成形板１６を敷き並べて架設する。次に、梁１４の上部フランジ上面に突出板部２８を焼抜栓溶接によって接合する。次に、溶接によって頭付きスタッド３０の下端部を梁１４の上部フランジ上面に固定し、梁１４の上部フランジ上面に頭付きスタッド３０を立設する。最後に、成形版１６Ａ、１６Ｂの端面２４間に、突出板部２８の上面、及び梁１４の上部フランジ上面と一体になるようにグラウト材Ｇを充填し、硬化させる。
【００２３】
次に、本発明の第１の実施形態の作用及び効果について説明する。
【００２４】
建物１２に地震力が作用すると、成形板１６には、慣性力としてせん断力が発生する。そして、図４のモデル図に示すように、せん断力Ｓが発生した成形板１６の端面２４には、圧縮力Ｐと引張力Ｔとが生じる。そして、成形板１６の端面２４に生じた圧縮力Ｐは、主に板部１８によって負担され、成形板１６の端面２４に生じた引張力Ｔは、主に上板２０及び下板２２によって負担される。
【００２５】
また、上板２０は板部１８の上面に一体化され、下板２２は板部１８の下面に一体化されているので、上板２０及び下板２２の座屈が防止されて、成形板１６の端面２４に生じた引張力を効果的に負担することができ、また、上板２０及び下板２２を薄くすることができる。
【００２６】
このようにして、成形板１６の一方の端面２４から他方の端面２４へ伝達された圧縮力Ｐと引張力Ｔとは、下板２２が接合された梁１４へせん断力Ｓとなって伝達される。よって、複数敷設して建物１２の床面を構成する成形板１６に面内せん断力を負担させることができる。
【００２７】
また、成形板１６の一方の端面２４から他方の端面２４へ伝達された圧縮力Ｐ及び引張力Ｔは、成形板１６の他方の端面２４と硬化したグラウト材Ｇとの界面の摩擦によりせん断力Ｓとして硬化したグラウト材Ｇへ伝えられ、隣りに配置された成形板１６へ、この成形板１６の端面２４と硬化したグラウト材Ｇとの界面の摩擦により伝達される。すなわち、成形板１６の一方の端面２４から他方の端面２４へ伝達された圧縮力Ｐ及び引張力Ｔは、隣りに配置された成形板１６へ硬化したグラウト材Ｇを介して伝達される。
【００２８】
例えば、図３において、成形板１６Ｂの右側の端面２４（不図示）から左側の端面２４へ伝達された圧縮力Ｐ及び引張力Ｔは、成形板１６Ｂの左側の端面２４と硬化したグラウト材Ｇとの界面の摩擦によりせん断力Ｓとして硬化したグラウト材Ｇへ伝えられ、隣りに配置された成形板１６Ａへ、この成形板１６Ａの右側の端面２４と硬化したグラウト材Ｇとの界面の摩擦により伝達される。
【００２９】
なお、成形板１６Ｂの端面２４や成形板１６Ａの端面２４に、凹凸形状（所謂、シアコッター）を形成しておいてもよい。このようにすれば、せん断力Ｓをより効率よく伝えることができる。
【００３０】
また、硬化したグラウト材Ｇに伝えられたせん断力は、この硬化したグラウト材Ｇとの一体化が頭付きスタッド３０により高められた梁１４へ伝達される。
【００３１】
また、板部１８は、上板２０と下板２２とにより上下面が拘束されているので、支圧強度を向上させることができ、成形板１６の端部に生じる圧縮力による支圧破壊を防ぐことができる。
【００３２】
また、鉛直荷重（面外方向の荷重）に対して成形板１６は、以下に示す（１）、（２）の効果を発揮することができる。
（１）成形板１６は、上板２０と下板２２とが軽量気泡コンクリートにより一体となったサンドイッチ構造を構成する。このサンドイッチ構造の断面２次モーメントは、上板２０と下板２２との単体の断面２次モーメントを単純に足し合わせた値よりも遥かに大きくなる。これによって、成形板１６に、効率よく大きな面外剛性を与えることができる。
【００３３】
（２）金属製の上板２０及び下板２２は強度及び剛性が大きいので、上板２０及び下板２２を薄くすることができる。これにより、成形板１６を軽くすることができる。また、成形板１６に作用する鉛直荷重（面外方向の荷重）に対して金属製の下板２２が存在するので、一般の鉄筋コンクリート系の床スラブで問題となっているクリープ変形が発生しない。
【００３４】
次に、本発明の第２の実施形態とその作用及び効果について説明する。
【００３５】
第２の実施形態の説明において、第１の実施形態と同じ構成のものは、同符号を付すると共に適宜省略して説明する。図５の側断面図に示すように、第２の実施形態の床構造３２では、充填材としてのコンクリートＶが、成形板１６Ａ、１６Ｂの端部上面に形成された段部３４に充填され硬化して、突出板部２８の上面、及び梁１４の上部フランジ上面と一体に側面視にて略Ｔ字状の連結部３６が形成されている。そして、この連結部３６によって、成形板１６Ａ、１６Ｂの端部同士が繋げられている。連結部３６の上部には、所定の被りを有するようにして上面圧縮筋３８が配置されている。
【００３６】
よって、段部３４に充填され硬化したコンクリートＶにより梁１４の上部フランジに対する成形板１６の端部の固定度が高められ、成形板１６全体の曲げ剛性を大きくすることができる。これにより、成形板１６の長期たわみを小さくすることができ、面内せん断耐力の向上が期待できる。
また、梁１４と連結部３６とによる合成梁効果が期待できるので、梁断面を小さくすることができる。
【００３７】
以上、本発明の第２の実施形態について説明した。
【００３８】
なお、第２の実施形態の床構造３２では、成形板１６Ａ、１６Ｂの端部上面に形成された段部３４にコンクリートＶを充填した例を示したが、図６の側断面図に示す床構造４０のように、硬化後に突出板部２８の上面、及び梁１４の上部フランジ上面と一体になるように、板部１８の上面の全域にコンクリートＶを後打ちしてもよい。
【００３９】
この場合、板部１８の上面に後打ちされ硬化したコンクリートＶ（以下、「トップコンクリート」とする）によって、面内せん断力をより効果的に伝達でき、また、隣り合う成形板１６間の目地ずれを無くして、隣り合う成形板１６の上面同士を滑らかにつなげることができる。
【００４０】
なお、トップコンクリートの上部に配置された上面圧縮筋４２は、トップコンクリートの上面に対して十分な被りが確保できるように配置されていればよい。例えば、板部１８の上面に上面圧縮筋４２を載置した状態や、板部１８の上面に形成した溝に上面圧縮筋４２を設置した状態で、コンクリートＶを打設するようにしてもよい。
【００４１】
以上、本発明の第１及び第２の実施形態について説明した。
【００４２】
なお、第１及び第２の実施形態では、軽量気泡コンクリートによって板部１８を形成した例を示したが、板部１８は、板部１８に必要とされるせん断剛性が確保できる材料によって形成されていればよく、例えば、軽量材料（軽量コンクリート、発泡樹脂）、普通コンクリート、高強度コンクリート、スチールファイバ、炭素繊維等を有する繊維補強コンクリートによって形成してもよい。板部１８を軽量気泡コンクリートによって形成すれば、成形板１６の軽量化が図れるとともに、板部１８の必要とするせん断剛性を容易に確保することができる。
【００４３】
また、第１及び第２の実施形態では、板部１８の上面全面に上板２０を一体に設け、板部１８の下面全面に下板２２を一体に設けた例を示したが、板部１８の下面に金属製の下板が一体に設けられていればよい。例えば、板部１８の上面に上板を設けなくてもよい。この場合、鉛直荷重（面外方向の荷重）に対して成形板１６に曲げ変形が生じると、成形板１６の下部には引張力が発生する。そして、この引張力に対して下板２２が抵抗することにより、成形板１６は、所定の面外剛性を得ることができる。
【００４４】
また、例えば、上板及び下板の少なくとも一方の板部１８に対向する面積が、板部１８の上面又は下面の面積よりも小さくなるように、上板及び下板を設けてもよい。例えば、上板及び下板の少なくとも一方を、板部１８の長辺方向の全長に渡って、板部１８の短辺方向の端部又は中央部に帯状に設けてもよい。
【００４５】
このようにすれば、軽量気泡コンクリートによって形成された板部１８のように、成形にオートクレーブ養生を必要とする部材の場合、オートクレーブ養生時において、上板や下板が設けられていない部分を介して蒸気を流通させることができる。すなわち、軽量気泡コンクリートの上下面に板材が設けられている状態で、オートクレーブ養生を効果的に行うことができる。
【００４６】
また、上板の板部１８に対向する面積が板部１８の上面の面積よりも小さくなるように上板を設けた場合、上板が配置されていない部分は開口部となるので、軽量気泡コンクリートをこの開口部から投入して打設を行うことができる。すなわち、軽量気泡コンクリートを投入する開口部を別途設ける必要がない。また、上板の上面が打設ラインの目印となるため、施工管理や品質管理が行ない易い。
【００４７】
また、下板を下方に凸の形状としてもよい。この場合、成形板１６に曲げモーメントが作用して曲げ変形が生じると、下板には両端を斜め上方へ引き上げる引張力が発生する。そして、この引張力によって成形板１６全体を上方向に押し上げる効果が生じ、成形板１６に作用する曲げモーメントによって生じる面外変形を小さくすることができる。
【００４８】
また、第１及び第２の実施形態では、成形板１６を一方向スラブとした例を示したが、二方向スラブとしてもよい。二方向スラブとする場合には、隣り合って配置された成形板の下板同士を緊結する。
【００４９】
また、第１及び第２の実施形態では、板部１８の上面全面に上板２０を一体に設け、板部１８の下面全面に下板２２を一体に設けることにより、上板２０及び下板２２の座屈を防止できることを説明したが、例えば、上板２０の下面、及び下板２２の上面に座屈を防ぐリブを設けたり、上板２０の下面、及び下板２２の上面に突起部材を設けたり、板部１８と、上板２０及び下板２２との一体化を接着剤によって高めたりして、上板２０及び下板２２の座屈防止効果を高めるようにしてもよい。
【００５０】
また、第１及び第２の実施形態では、焼抜栓溶接によって下板２２（突出板部２８）を梁１４の上部フランジ上面に接合した例を示したが、梁１４への下板２２の接合は、成形板１６の端面２４に生じるせん断力を下板２２から梁１４へ伝達できれば、どのような接合であってもよい。例えば、焼抜栓溶接、隅肉溶接、スタッド溶接等の溶接や、エポキシ系接着剤等の接着剤によって、梁１４に下板２２を接合してもよい。
【００５１】
図７の斜視図、及び図７のＡ−Ａ矢視図である図８には、スタッド溶接により梁１４の上部フランジ上面に下板２２が接合されている例が示されている。説明の都合上、図７、８には、充填材が描かれていない。成形板１６の端面２４には、下板２２の上面から上板２０の上面に渡って切り欠き４４が形成されている。そして、この切り欠き４４内に配置された頭付きスタッド３０によるスタッド溶接によって、梁１４の上部フランジ上面に下板２２が接合されている。
【００５２】
また、第１の実施形態では、充填材をグラウトＧとし、第２の実施形態では、充填材をコンクリートＶとした例を示したが、充填材は、成形板１６の端面に生じた圧縮力及び引張力を、隣りに配置された成形板１６へ伝達できる材料であればよい。
【００５３】
また、第１及び第２の実施形態の床構造１０、３２において、図９の側断面図に示す連結板４６や、図１０の平面図に示すシアキー４８及びせん断筋５０を用いて、成形板１６の面内せん断力の伝達効率を高めてもよい。図９では、隣り合う成形板１６の上板２０同士を、鋼板等からなる連結板４６によって連結している。連結板４６は、焼抜栓溶接によって上板２０の上面に接合されている。図１０では、隣り合う成形板１６の長辺側にグラウト材Ｈによってシアキー４８が形成され、さらに、このシアキー４８を貫通するせん断筋５０により隣り合う成形板１６同士が連結されている。シアキー４８及びせん断筋５０は、どちらか一方を設けるようにしてもよい。また、成形板１６から梁１４へせん断力が伝達されるように、上板２０を梁１４に接続するようにしてもよい。
【００５４】
また、第１及び第２の実施形態では、鋼製のＨ形鋼からなる梁１４に成形板１６を架設した例を示したが、木製及びコンクリート製の梁に成形板１６を架設するようにしてもよい。図１１の側断面図には、木製の梁５２に成形板１６が架設された一例が示されている。成形板１６の突出板部２８は、木ネジやドリリングネジ等のネジ５４によって梁５２に接合され、梁５２の上面に捩じ込まれたネジ部材５６が第１の実施形態で示した頭付きスタッド３０（図３を参照のこと）の役割りを果たす。
【００５５】
図１２の側断面図には、鉄筋コンクリート製の梁５８に成形板１６が架設された一例が示されている。梁５８の上面には鋼板６０が固定されており、焼抜栓溶接によって、鋼板６０の上面に成形板１６の突出板部２８が接合されている。また、鋼板６０の上面には、頭付きスタッド３０が立設されている。頭付きスタッド３０は、溶接によって下端部が鋼板６０の上面に固定されている。
【００５６】
図１３の側断面図には、鉄筋コンクリート製の梁６２に成形板１６が架設された一例が示されている。梁６２の上面には鋼板６４が固定されており、鋼板６４の上面に突設され、成形板１６の突出板部２８に形成された孔を貫通する雄ネジ部材６６にナット６８を捩じ込み締め付けることにより、鋼板６４の上面に成形板１６の突出板部２８を接合している。また、鋼板６４の上面には、頭付きスタッド３０が立設されている。頭付きスタッド３０は、溶接によって下端部が鋼板６４の上面に固定されている。
【００５７】
また、第１及び第２の実施形態では、上板２０及び下板２２を鋼鈑とした例を示し、上板２０及び下板２２は金属製の板であればよいことを述べたが、上板２０及び下板２２は、必要とする引張力を負担できるものであれば、金属製以外の板であってもよい。例えば、繊維強化プラスチック製の板、炭素繊維製の板でもよい。
【００５８】
また、第１及び第２の実施形態で説明したように、本発明の床構造は、複数敷設された成形板同士を直接接合せずに床面を形成する床構造において、成形板に面内せん断力を負担させて剛床仮定の保証を可能にするものであるが、ここでいう「成形板同士を直接接合する」とは、この接合によって成形版に面内せん断力を負担させて剛床仮定を保証できる程度に成形板同士が直接接合されることを意味し、例えば、施工性向上、品質向上等のために成形板同士を鉄板やアングル等の金物で部分的に接続するような簡易な接合や、面内せん断力の伝達効率を向上させる為の補助手段としてシアキーやせん断筋を設けることは、成形板同士を直接接合することには含まれない。
【００５９】
また、第１及び第２の実施形態で説明したように、本発明の床構造は、軽量気泡コンクリート板やプレキャストコンクリート床版等の成形板を複数敷設して建物の床面を構成する従来の床構造において困難であった面内せん断力の伝達を、隣り合う成形板同士の接合や、水平ブレース等による梁架構の補強等の煩雑な作業をすることなく可能にしたものであり、且つ下板を面外曲げと面内せん断との両方に抵抗する要素として有効利用した技術である。
【００６０】
特に、所定のせん断力が作用したときに成形板の端面に生じる圧縮力は、成形板のスパンを幅で割った値が大きいほど大きくなるので、上板及び下板の座屈防止や、板部の支圧破壊防止の効果については、細長い平面形状の成形板を複数敷設した床構造に対して有効である。
【００６１】
以上、本発明の第１及び第２の実施形態について説明したが、本発明はこうした実施形態に何等限定されるものでなく、第１及び第２の実施形態を組み合わせて用いてもよいし、本発明の要旨を逸脱しない範囲において、種々なる態様で実施し得ることは勿論である。
【符号の説明】
【００６２】
１０、３２、４０  床構造
１４、５２、５８、６２  梁
１６  成形板
１８  板部
２２  下板
２６  接合部
３４  段部
Ｇ  グラウト材（充填材）
Ｖ  コンクリート（充填材）
【図１】
2012122282.tif 000003
【図２】
2012122282.tif 000004
【図３】
2012122282.tif 000005
【図４】
2012122282.tif 000006
【図５】
2012122282.tif 000007
【図６】
2012122282.tif 000008
【図７】
2012122282.tif 000009
【図８】
2012122282.tif 000010
【図９】
2012122282.tif 000011
【図１０】
2012122282.tif 000012
【図１１】
2012122282.tif 000013
【図１２】
2012122282.tif 000014
【図１３】
2012122282.tif 000015